(57)【要約】  【課題】ブラインド又はカーテンを進退操作するための操作コードの被操作部分を好適な位置に案内し得る構成を備えた間仕切を提供する。  【解決手段】一対の支柱Ａに支持されるとともに前後方向に間隔をあけて配設された一対のガラスパネル体Ｂと、一対のガラスパネル体Ｂの間に開閉動作可能に配設されたカーテンＤとを備えてなる間仕切Ｍであって、カーテンＤが、開閉機構Ｅに設けた操作コードＪを進退操作することにより開閉動作可能に構成されており、操作コードＪの一部が係わり合う案内通路を有してなり操作コードＪにおける被操作部分ｊ１１、ｊ２１を支柱Ａよりも前に位置し得るように案内し得る案内部材が設けられたものとした。【選択図】図１
2020204188.tif 000002
【特許請求の範囲】
【請求項１】
上下方向に延びてなり左右に間隔をあけて設けられた一対の支柱と、これら一対の支柱に支持されるとともに前後方向に間隔をあけて配設された一対のガラスパネル体と、これら一対のガラスパネル体の間に開閉動作可能に配設されたブラインド又はカーテンとを備えてなる間仕切であって、
前記ブラインド又はカーテンが、開閉機構に設けた操作コードを進退操作することにより開閉動作可能に構成されたものであり、
前記操作コードの一部が係わり合う案内通路を有してなり前記操作コードにおける被操作部分を前記支柱よりも前に位置し得るように案内し得る案内部材が設けられた間仕切。
【請求項２】
前記案内部材が、前記案内通路が形成された案内部材本体と、この案内部材本体に着脱可能に構成され前記案内通路から前記操作コードが抜け出るのを規制する抜け止め部材とを有している請求項１記載の間仕切。
【請求項３】
前記案内部材本体が、溝状に形成された溝部を有してなる前記案内通路を備えたものであり、
前記抜け止め部材が、前記案内部材本体に取り付けられ、前記溝部の側開放部を閉塞し得る板状をなしたものである請求項２記載の間仕切。
【請求項４】
前記案内通路が、前記案内部材本体に設けられた第一の案内通路と、この第一の案内通路の後部及び下部に位置するように並設された第二の案内通路である請求項１、２又は３記載の間仕切。
【請求項５】
前記案内部材が、前記支柱に対して直接又は間接的に取り付け可能に構成されたものであり、
前記案内部材を前記支柱の左に配した場合には前記案内部材の右側面を前記支柱側に対面させた状態で取り付け得るように構成されており、且つ、前記案内部材を前記支柱の右に配した場合には前記案内部材の左側面を前記支柱側に対面させた状態で取り付け得るように構成されている請求項１、２、３又は４記載の間仕切。
【請求項６】
前記案内部材が、前記支柱に対して取付ねじを用いて直接又は間接的に取り付け可能に構成されたものであり、
前記案内部材が、前記取付ねじを挿通し得る左右方向に貫通した取付ねじ挿通孔を有している請求項５記載の間仕切。
【請求項７】
前記案内部材が、ブラケットを介して前記支柱に取り付けられたものである請求項１、２、３、４、５又は６記載の間仕切。
【請求項８】
前記案内通路が、前記案内部材本体に設けられ前記操作コードの前コード部を案内する第一の案内通路と、この第一の案内通路の後部及び下部に位置するように並設され前記操作コードの後コード部を案内する第二の案内通路であって、
前記第一の案内通路が前向きに開口した第一の前開口部を有するとともに前記第二の案内通路が前向きに開口した第二の前開口部を有するものであり、
前記案内部材本体が、前記第一の前開口部と前記第二の前開口部との間に、前記前コード部の被操作部分を前記後コード部の被操作部分よりも前側に位置させるように案内し得る案内突起が突設されている請求項１、２、３、４、５、６又は７記載の間仕切。
【発明の詳細な説明】
【技術分野】
【０００１】
本発明は、間仕切に関する。
【背景技術】
【０００２】
従来から、一対のガラスパネルの間にブラインドを設けた種々の間仕切が知られている（例えば、特許文献１を参照）。
【０００３】
この種の間仕切は、ブラインドを開閉動作させるための操作輪に対する操作力は、複数のプーリー（ベルト車）に支持されたベルトによりブラインドに対して伝達されるものとなっている。
【０００４】
ところが、かかる構成では、ブラインドを動作するための構造が複雑化し易いものとなる。
【０００５】
しかも、一対のガラスパネルの間に設置されるブラインドの開閉機構が、専用構造のものにならざるを得ない。そのため、一般に普及している多様な開閉機構を組み入れたブラインドやカーテンを柔軟に適用することも困難なものとなる。
【先行技術文献】
【特許文献】
【０００６】
【特許文献１】特開２００６−３１６５５６号公報
【発明の概要】
【発明が解決しようとする課題】
【０００７】
本発明は、以上のような事情に着目してなされたもので、少なくとも、比較的簡易な構成で、ブラインド又はカーテンを進退操作するための操作コードを使用者が操作し得る好適な位置に案内し得る間仕切を提供する。
【課題を解決するための手段】
【０００８】
すなわち、本発明は次の構成をなしている。
【０００９】
請求項１に記載の発明は、上下方向に延びてなり左右に間隔をあけて設けられた一対の支柱と、これら一対の支柱に支持されるとともに前後方向に間隔をあけて配設された一対のガラスパネル体と、これら一対のガラスパネル体の間に開閉動作可能に配設されたブラインド又はカーテンとを備えてなる間仕切であって、前記ブラインド又はカーテンが、開閉機構に設けた操作コードを進退操作することにより開閉動作可能に構成されたものであり、前記操作コードの一部が係わり合う案内通路を有してなり前記操作コードにおける被操作部分を前記支柱よりも前に位置し得るように案内し得る案内部材が設けられた間仕切である。
【００１０】
請求項２に記載の発明は、前記案内部材が、前記案内通路が形成された案内部材本体と、この案内部材本体に着脱可能に構成され前記案内通路から前記操作コードが抜け出るのを規制する抜け止め部材とを有している請求項１記載の間仕切である。
【００１１】
請求項３に記載の発明は、前記案内部材本体が、溝状に形成された溝部を有してなる前記案内通路を備えたものであり、前記抜け止め部材が、前記案内部材本体に取り付けられ、前記溝部の側開放部を閉塞し得る板状をなしたものである請求項２記載の間仕切である。
【００１２】
請求項４に記載の発明は、前記案内通路が、前記案内部材本体に設けられた第一の案内通路と、この第一の案内通路の後部及び下部に位置するように並設された第二の案内通路である請求項１、２又は３記載の間仕切である。
【００１３】
請求項５に記載の発明は、前記案内部材が、前記支柱に対して直接又は間接的に取り付け可能に構成されたものであり、前記案内部材を前記支柱の左に配した場合には前記案内部材の右側面を前記支柱側に対面させた状態で取り付け得るように構成されており、且つ、前記案内部材を前記支柱の右に配した場合には前記案内部材の左側面を前記支柱側に対面させた状態で取り付け得るように構成されている請求項１、２、３又は４記載の間仕切である。
【００１４】
請求項６に記載の発明は、前記案内部材が、前記支柱に対して取付ねじを用いて直接又は間接的に取り付け可能に構成されたものであり、前記案内部材が、前記取付ねじを挿通し得る左右方向に貫通した取付ねじ挿通孔を有している請求項５記載の間仕切である。
【００１５】
請求項７に記載の発明は、前記案内部材が、ブラケットを介して前記支柱に取り付けられたものである請求項１、２、３、４、５又は６記載の間仕切である。
【００１６】
請求項８に記載の発明は、前記案内通路が、前記案内部材本体に設けられ前記操作コードの前コード部を案内する第一の案内通路と、この第一の案内通路の後部及び下部に位置するように並設され前記操作コードの後コード部を案内する第二の案内通路であって、前記第一の案内通路が前向きに開口した第一の前開口部を有するとともに前記第二の案内通路が前向きに開口した第二の前開口部を有するものであり、前記案内部材本体が、前記第一の前開口部と前記第二の前開口部との間に、前記前コード部の被操作部分を前記後コード部の被操作部分よりも前側に位置させるように案内し得る案内突起が突設されている請求項１、２、３、４、５、６又は７記載の間仕切である。
【発明の効果】
【００１７】
以上説明したように本発明によれば、比較的簡易な構成で、ブラインド又はカーテンを進退操作するための操作コードを使用者が操作し得る好適な位置に案内し得る間仕切を提供することができる。
【図面の簡単な説明】
【００１８】
【図１】本発明の一実施形態を示す正面図。
【図２】同実施形態における斜視図。
【図３】同実施形態における分解斜視図。
【図４】同実施形態における分解斜視図。
【図５】同実施形態における分解斜視図。
【図６】同実施形態における斜視図。
【発明を実施するための形態】
【００１９】
以下、本発明の一実施形態を、図１〜６を参照して説明する。
【００２０】
この実施形態は、本発明を、一対のガラスパネル体Ｂの間にカーテンＤを開閉動作可能に配置した間仕切Ｍに適用したものである。
【００２１】
ここで、この実施形態では、間仕切Ｍが「カーテンＤ」を備えてなる構成のものを例示しているが、「ブラインド」であってもよい。なお、「カーテン」は、ロールカーテン（ロールスクリーン）やシェードが含まれた概念である。
【００２２】
間仕切Ｍは、上下方向に延びてなり左右に間隔をあけて設けられた一対の支柱Ａと、一対の支柱Ａに支持されるとともに前後方向に間隔をあけて配設された一対のガラスパネル体Ｂと、一対のガラスパネル体Ｂの間に開閉動作可能に配設されたカーテンＤとを備えている。カーテンＤは、開閉機構Ｅに設けた操作コードＪを使用者が把持して進退操作することにより左右方向に開閉動作し得るものとなっている。
【００２３】
間仕切Ｍは、操作コードＪにおける前コード部ｊ１及び後コード部ｊ２の被操作部分ｊ１１、ｊ２１、すなわち、操作コードＪの下部をなし使用者が把持し得る部分である被操作部分ｊ１１、ｊ２１を支柱Ａよりも前に位置し得るように案内し得る案内部材Ｆが設けられている。案内部材Ｆは、一対のガラスパネル体Ｂの横に配設され当該一対のガラスパネル体Ｂと略面一をなすように支柱Ａに支持された一対のサイドパネル体Ｃにより覆い隠されたものとなっている。換言すれば、間仕切Ｍは、一対のサイドパネル体Ｃよりも前に、案内部材Ｆにより案内された操作コードＪの被操作部分ｊ１１、ｊ２１が位置し得るものとなっている。
【００２４】
以下、間仕切Ｍの各構成について詳述する。
【００２５】
一対の支柱Ａは、ガラスパネル体Ｂの左右両側部に配設されている。一対の支柱Ａは、床Ｈと天井Ｉとの間を繋ぐように設けられている。一対の支柱Ａは、図示しない取付手段を介して前後方向に間隔をあけて配された一対のガラスパネル体Ｂを起立姿勢に支持している。一対の支柱Ａにおける上端部及び下端部は適宜の方法により天井Ｉ及び床Ｈに取り付けられている。
【００２６】
この実施形態では、天井Ｉにはあらかじめ下向きコ字状をなし左右方向に延びてなる取り付けフレームＮが取り付けられている。そして、取り付けフレームＮに対して一対の支柱Ａにおける上端部が止着されている。つまり、一対の支柱Ａの上端部は、取り付けフレームＮを介して天井Ｉに支持されたものとなっている。
【００２７】
ガラスパネル体Ｂは、矩形枠状をなす枠体ｂ１と、枠体ｂ１に支持された矩形平板状をなすガラスパネルｂ２とを備えている。一対のガラスパネル体Ｂは前後方向に所定の間隔をあけて配設されている。換言すれば、鉛直姿勢をなし前後に略平行に配された一対のガラスパネル体Ｂの間には、カーテンＤを配設し得る空間が形成されている。
【００２８】
カーテンＤは、布等のシート材を主材として構成された既知の構成のものである。この実施形態におけるカーテンＤは、左右方向に伸縮し得るつづら折り構造をなしており、その上端部が開閉機構Ｅを構成する左右方向に延びた開閉機構本体ｅ１内に設けられたカーテン保持部材（図示せず）に支持されている。
【００２９】
カーテンＤは、開閉機構Ｅに設けた操作コードＪの前コード部ｊ１及び後コード部ｊ２を進退操作することにより開閉動作し得るものとなっている。すなわち、カーテンＤは、前コード部ｊ１及び後コード部ｊ２を進退操作することにより、視認可能領域を遮る動作（閉動作）、又は、遮られていた状態の視認可能領域を視認可能にする動作（開動作）を行い得るものとなっている。
【００３０】
開閉機構Ｅは、カーテンＤを開閉動作可能に支持し得る左右方向に延びてなる開閉機構本体ｅ１と、開閉機構本体ｅ１の一端部に組み付けられ開閉機構本体ｅ１を駆動し得る操作コードＪとを備えたものである。
【００３１】
操作コードＪは、ループ状をなしている。使用者は、操作コードＪの前コード部ｊ１又は後コード部ｊ２を下方に引く操作を行うことにより、開閉機構本体ｅ１内に設けた図示しないカーテン駆動手段を正逆方向に駆動させ得るようになっている。なお、開閉機構Ｅは、既知の構成を適用したものであるため、詳細な説明を省略する。
【００３２】
案内部材Ｆは、ブラケットＧを介して一対の支柱Ａの内の一方すなわち正面視において左側の支柱Ａにおける左に取り付けられている。すなわち、間仕切Ｍは、案内部材Ｆを、ブラケットＧを介して支柱Ａに取り付ける構成を採っている。案内部材Ｆと支柱Ａとの間にブラケットＧを介設した構成を採ることにより、案内部材Ｆは、開閉機構本体ｅ１から垂下する前コード部ｊ１及び後コード部ｊ２を無理なく収容し得る好適な位置に配設され得るものとなっている。
【００３３】
案内部材Ｆは、操作コードＪにおける前コード部ｊ１及び後コード部ｊ２の一部が係わり合う第一、第二の案内通路１、２が形成された案内部材本体Ｋと、案内部材本体Ｋに着脱可能に構成され第一、第二の案内通路１、２から操作コードＪにおける前コード部ｊ１及び後コード部ｊ２の一部が抜け出るのを規制する抜け止め部材Ｌとを有している。
【００３４】
案内部材本体Ｋは、全体として略矩形板状をなす基材に第一、第二の案内通路１、２を設けた合成樹脂製のものである。
【００３５】
第一の案内通路１は、操作コードＪにおける前コード部ｊ１の一部が収容され得る溝状に形成された溝部たる第一の溝部１１を備えている。第一の溝部１１は、側方に開放された側開放部１４を有している。第一の溝部１１における側開放部１４は、第一の溝部１１内に前コード部ｊ１の一部が配設された後に、板状をなす抜け止め部材Ｌにより閉塞されるようになっている。また、第一の案内通路１は、上端部に上向きに開口した第一の上開口部１２を有するとともに前端部に前向きに開口した第一の前開口部１３を備えている。
【００３６】
第一の案内通路１に形成された第一の溝部１１は、下方に向かって漸次前側に位置するように形成されている。つまり、第一の案内通路１は、開閉機構本体ｅ１から垂下する前コード部ｊ１を第一の上開口部１２において受け入れ、斜めに傾斜した第一の溝部１１を通過させて第一の前開口部１３から導出し得るように形成されている。第一の案内通路１による案内作用により、前コード部ｊ１の一部が下方に向かうに連れて前方に案内されることになり、使用者が把持し得る部分となる前コード部ｊ１の被操作部分ｊ１１が支柱Ａやサイドパネル体Ｃよりも前に位置し得るようになっている。
【００３７】
第二の案内通路２は、第一の案内通路１の後部及び下部に位置するように並設されている。第二の案内通路２は、操作コードＪにおける後コード部ｊ２の一部が収容され得る溝状に形成された溝部たる第二の溝部２１を備えている。第二の溝部２１は、側方に開放された側開放部２４を有している。第二の溝部２１における側開放部２４は、第二の溝部２１内に後コード部ｊ２の一部が配設された後に、板状をなす抜け止め部材Ｌにより閉塞されるようになっている。また、第二の案内通路２は、上端部に上向きに開口した第二の上開口部２２を有するとともに前端部に前向きに開口した第二の前開口部２３を備えている。第二の上開口部２２は第一の上開口部１２よりも後に位置しており、第二の前開口部２３は第一の上開口部１２よりも下に位置している。
【００３８】
第二の案内通路２に形成された第二の溝部２１は、下方に向かって漸次前側に位置するように形成されている。つまり、第二の案内通路２は、開閉機構本体ｅ１から垂下する後コード部ｊ２を第二の上開口部２２において受け入れ、斜めに傾斜した第二の溝部２１を通過させて第二の前開口部２３から導出し得るように形成されている。第二の案内通路２による案内作用により、後コード部ｊ２の一部が下方に向かうに連れて前方に案内されることになり、使用者が把持し得る部分となる後コード部ｊ２の被操作部分が支柱Ａやサイドパネル体Ｃよりも前に位置し得るようになっている。
【００３９】
抜け止め部材Ｌは、案内部材本体Ｋにねじｖ１により取り付けられている。抜け止め部材Ｌは、第一、第二の溝部１１、２１の各側開放部１４、２４を閉塞し得る板状をなしている。抜け止め部材Ｌは、金属製のものである。抜け止め部材Ｌには、上部及び下部にねじ挿通孔ｈ１が形成されている。抜け止め部材Ｌは、ねじ挿通孔ｈ１を挿通させたねじｖ１を案内部材本体Ｋに螺着することにより、案内部材本体Ｋの左側面に取り付けることができるようになっている。
【００４０】
案内部材本体Ｋには、第一の前開口部１３と第二の前開口部２３との間に、前コード部ｊ１と係わり合い当該前コード部ｊ１の被操作部分ｊ１１を後コード部ｊ２の被操作部分ｊ２１よりも前側に位置させ得るように案内し得る案内突起３が突設されている。案内突起３は、抜け止め部材Ｌの前端部よりも前方に突出した形態をなし上面側が第一の前開口部１３の直前に位置する前コード部ｊ１の下面に当接し得るものとなっている。
【００４１】
この実施形態では、一対の支柱Ａには、一対のガラスパネル体Ｂに略面一をなすように一対のサイドパネル体Ｃが取り付けられている。一対のサイドパネル体Ｃの内、前側のサイドパネル体Ｃには、操作コードＪの被操作部分ｊ１１、ｊ２１を当該サイドパネル体Ｃよりも前側に導出するための縦長矩形状をなす開口部ｃ２１が設けられている。
【００４２】
サイドパネル体Ｃは、案内部材Ｆの第一、第二の前開口部１３、２３に対応する位置に縦長矩形状の貫通孔ｃ１１を有したサイドパネル本体ｃ１と、中央部に開口部ｃ２１を有するとともに当該開口部ｃ２１の上下にねじ挿通孔ｈ２を有しサイドパネル本体ｃ１の貫通孔ｃ１１をカバーするカバー部材ｃ２とを備えたものである。
【００４３】
カバー部材ｃ２は、ねじ挿通孔ｈ２に挿通したねじｖ２を案内部材本体Ｋにおける第一の前開口部１３の上部、及び、第二の前開口部２３の下部に螺着することにより、サイドパネル本体ｃ１の前面に取り付けられるようになっている。案内部材本体Ｋに突設された案内突起３の幅寸法は、開口部ｃ２１内に位置し得る所定寸法に設定されている。
【００４４】
以上の構成をなす間仕切Ｍの案内部材Ｆは、支柱Ａに対して直接又は間接的に取り付け可能に構成されている。この実施形態では、案内部材Ｆは、ブラケットＧを介して左側の支柱Ａに間接的に取り付けられている。ブラケットＧは、案内部材Ｆの外側面が添接し得る取付面ｇ１と、支柱Ａの外側面に添接し当該支柱Ａに螺着するねじｖ４が挿通し得るねじ挿通孔ｈ４を有した取付鍔ｇ２とを備えている。
【００４５】
間仕切Ｍは、左側の支柱Ａの左側面にブラケットＧが取り付けられ、ブラケットＧの取付面ｇ１に案内部材Ｆが取り付けられる構成をなしている。一方で、案内部材Ｆは、図６に示すように、案内部材Ｆを右側の支柱Ａにおける右に柔軟に取り付け得る構成をなしている。
【００４６】
すなわち、間仕切Ｍは、案内部材Ｆを支柱Ａの左に配した場合には案内部材Ｆの右側面を支柱Ａ側に対面させた状態で取り付け得るように構成されており、且つ、案内部材Ｆを支柱Ａの右に配した場合には案内部材Ｆの左側面を支柱Ａ側に対面させた状態で取り付け得るように構成されている。つまり、案内部材Ｆは、左右の支柱Ａの何れに対しても、取付ねじｖ３を用いて直接又は間接的に取り付け可能に構成されている。
【００４７】
この実施形態では、案内部材Ｆを、ブラケットＧを介して左右の何れに対しても取り付け可能に構成されている。案内部材Ｆは、案内部材本体Ｋに取付ねじｖ３を挿通し得る左右方向に貫通した取付ねじ挿通孔ｈ３を有している。そして、取付ねじ挿通孔ｈ３の両端部すなわち左の端部及び右の端部に、取付ねじｖ３の頭部ｔを収容可能なねじ頭収容部たる一方及び他方のねじ頭収容部ｈ３１、ｈ３２が形成されている。
【００４８】
抜け止め部材Ｌにおける上下方向中間部の前後二箇所には、取付ねじ挿通孔ｈ３に挿通される取付ねじｖ３との干渉を回避するための比較的大径をなす干渉回避孔Ｌ１が形成されている。このため、案内部材本体Ｋに対して右側又は左側の何れかの方向から取付ねじｖ３を挿入しても、取付ねじｖ３の頭部ｔが案内部材本体Ｋの側面から突出しないものとなり、案内部材Ｆの右側面及び左側面は突出部分の存在の無いフラットな状態が確保されている。
【００４９】
つまり、案内部材Ｆは、一対の支柱Ａの内、左側の支柱Ａにおける左、又は、右側の支柱Ａにおける右の何れか一方に姿勢を変えることなく取付ねじｖ３の挿入方向を変更することにより柔軟に取り付け得る構成をなしている。
【００５０】
例えば、間仕切Ｍの設置箇所や、カーテンＤを開閉し得る開閉機構Ｅの操作コードＪの位置（左側端部にあるか右側端部にあるかの何れか）に対応させて次のようなことが柔軟に実施し得る。すなわち、図１〜５の例のように、案内部材本体Ｋの外側面（右側面）をブラケットＧの取付面ｇ１に当接させて当該ブラケットＧに案内部材Ｆを取り付ける態様、又は、図６の例のように抜け止め部材Ｌの外側面（左側面）をブラケットＧの取付面ｇ１に当接させて当該ブラケットＧに案内部材Ｆを取り付ける態様の何れかを柔軟に実施し得るものとなっている。どちらの取付態様を選択した場合であっても、案内部材Ｆは、取付ねじｖ３の頭部ｔが案内部材本体Ｋの外面から突出し難いものとなっているため、好適な外観を提供し得るとともに取り付けねじｖ３の頭部ｔが突出することによる不具合を好適に抑制し得るものとなっている。
【００５１】
以上説明したように、本実施形態に係る間仕切Ｍは、上下方向に延びてなり左右に間隔をあけて設けられた一対の支柱Ａと、一対の支柱Ａに支持されるとともに前後方向に間隔をあけて配設された一対のガラスパネル体Ｂと、一対のガラスパネル体Ｂの間に開閉動作可能に配設されたカーテンＤとを備えてなるものである。
【００５２】
そして、カーテンＤが、開閉機構Ｅに設けた操作コードＪを進退操作することにより開閉動作可能に構成されたものであり、操作コードＪの一部が係わり合う案内通路たる第一、第二の案内通路１、２を有してなり操作コードＪにおける被操作部分ｊ１１、ｊ２１を支柱Ａよりも前に位置し得るように案内し得る案内部材Ｆが設けられている。
【００５３】
このため、比較的簡易な構成で、カーテンＤを進退操作するための操作コードＪを使用者が操作し得る好適な位置に案内し得る間仕切Ｍを提供することができるものとなる。
【００５４】
つまり、案内部材Ｆが、操作コードＪの一部が係わり合う第一、第二の案内通路１、２を有しており、当該第一、第二の案内通路１、２による案内作用を利用して操作コードＪにおける被操作部分ｊ１１、ｊ２１を支柱Ａより前に位置させることができるようになっている。このため、従来の如く複数のプーリーを利用した場合のような構造の複雑化は好適に回避し得るものとなるだけでなく多様なバリエーションを有した既存品である種々のカーテンやブラインドやそれらの開閉機構を無理なく適用し得るものとなっている。
【００５５】
案内部材Ｆが、第一、第二の案内通路１、２が形成された案内部材本体Ｋと、案内部材本体Ｋに着脱可能に構成され第一、第二の案内通路１、２から操作コードＪが抜け出るのを規制する抜け止め部材Ｌとを有している。
【００５６】
このため、第一、第二の案内通路１、２に操作コードＪの一部を収容した後に抜け止め部材Ｌを取り付け得ることにより、案内部材Ｆと操作コードＪとを簡単に係り合わせることができるものとなっている。
【００５７】
案内部材本体Ｋが、溝状に形成された溝部たる第一、第二の溝部１１、２１を有してなる案内通路たる第一、第二の案内通路１、２を備えたものであり、抜け止め部材Ｌが、案内部材本体Ｋに取り付けられ、第一、第二の溝部１１、２１の側開放部１４、２４を閉塞し得る板状をなしたものである。
【００５８】
このため、板状の抜け止め部材Ｌを案内部材本体Ｋに取り付けるようにした比較的シンプルな構成をなした案内部材Ｆを実現し得るものとなっている。
【００５９】
この実施形態では、案内部材本体Ｋに第一、第二の案内通路１、２が設けられており、第二の案内通路２が第一の案内通路１の後部及び下部に位置するように並設されたものとなっている。操作コードＪにおける前コード部ｊ１の一部を第一の案内通路１に配設し得るとともに後コード部ｊ２の一部を第二の案内通路２に配設し得る構成をなしているため、前コード部ｊ１及び後コード部ｊ２を有する操作コードＪの被操作部分ｊ１１、ｊ２１を好適に支柱Ａよりも前に導くことができるものとなっている。
【００６０】
案内部材Ｆが、支柱Ａに対して間接的に取り付け可能に構成されたもの、すなわち、案内部材Ｆが、ブラケットＧを介して支柱Ａに取り付けられたものとなっている。
【００６１】
このため、案内部材Ｆは、開閉機構Ｅから垂下する操作コードＪの基端部を無理なく受け入れることが可能な位置に柔軟に配設され得るものとなっている。
【００６２】
案内部材Ｆを支柱Ａの左に配した場合には案内部材Ｆの右側面を支柱Ａ側に対面させた状態で取り付け得るように構成されており、且つ、案内部材Ｆを支柱Ａの右に配した場合には案内部材Ｆの左側面を支柱Ａ側に対面させた状態で取り付け得るように構成されている。
【００６３】
このため、カーテンＤの開閉機構Ｅの仕様や間仕切Ｍの設置箇所等に応じて、案内部材Ｆの取付位置を柔軟に変更し得るものとなっている。
【００６４】
案内部材Ｆが、取付ねじｖ３を挿通し得る左右方向に貫通した取付ねじ挿通孔ｈ３を有しており、取付ねじ挿通孔ｈ３の両端部に、取付ねじｖ３の頭部ｔを収容可能なねじ頭収容部ｈ３１、ｈ３２が形成されている。このため、カーテンＤの開閉機構Ｅの仕様や間仕切の設置箇所に応じて、案内部材Ｆの支柱Ａに対する取付位置を柔軟に設定することができるとともに支柱Ａに対する取付位置を左右何れに設定しても取付ねじｖ３の頭部ｔが案内部材Ｆから突出し難いものとなり、好適な外観が保持され得るものとなっている。
【００６５】
なお、本発明は、以上に詳述した実施形態に限られるものではない。
【００６６】
一対の支柱やガラスパネル体は種々の構成のものが適用され得るものであり、上述した実施形態に示したものに限られるものではない。
【００６７】
上述した実施形態では、一対のガラスパネル体の間にカーテンを備えてなるものを一例として示したが、カーテンに限られるものではなくブラインドであってもよい。
【００６８】
開閉機構は、種々の構成のものが適用されるものであり、上述した実施形態に示されたものに限定されるものではない。
【００６９】
例えば、開閉機構に設けた操作コードが、案内部材に設けられた単一の案内通路を通過し得る一本のもの又は一束のものであってもよい。換言すれば、案内部材は、単一の案内通路を有したものであってもよい。
【００７０】
抜け止め部材は、案内通路から操作コードが抜け出るのを規制し得るものであればよく、上述した実施形態に示したような板状のものに限られるものではない。
【００７１】
上述した実施形態では、案内部材が、支柱に対して間接的に（ブラケットを介して）取り付け可能に構成されたものを示したが、このようなものに限られるものではない。案内部材は、支柱に対して直接的に取り付けられるものであってもよい。
【００７２】
ブラケットの形状は、支柱の形態に応じて種々の形状のものを採用することができるのは言うまでもない。
【００７３】
その他、各部の具体的構成についても上記実施形態に限られるものではなく、本発明の趣旨を逸脱しない範囲で種々変形が可能である。
【符号の説明】
【００７４】
Ｍ…間仕切
Ａ…支柱
Ｂ…ガラスパネル体
Ｃ…サイドパネル体
Ｄ…カーテン
Ｅ…開閉機構
Ｆ…案内部材
Ｇ…ブラケット
Ｈ…床
Ｉ…天井
【図１】
2020204188.tif 000003
【図２】
2020204188.tif 000004
【図３】
2020204188.tif 000005
【図４】
2020204188.tif 000006
【図５】
2020204188.tif 000007
【図６】
2020204188.tif 000008